(57)【要約】      （修正有）【課題】太陽系における太陽と各惑星の大きさ、太陽と各惑星の距離を同時に目視で実感できる太陽系の立体宇宙儀を提供する。【解決手段】太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀。【選択図】図１
0003163671.tif 000002
【実用新案登録請求の範囲】
【請求項１】
太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３Ｄ×３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀。
ここに、Ｌ３：太陽模型から地球模型の表面までの距離（ｃｍ）、Ｄ３：地球模型の直径（ｃｍ）
【請求項２】
上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことを特徴とする請求項１に記載された太陽系の立体宇宙儀。
【請求項３】
上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることを特徴とする請求項１〜２の何れかに記載された太陽系の立体宇宙儀．
【請求項４】
上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．２７２×Ｄ３とすることを特徴とする請求項１〜３の何れかに記載された太陽系の立体宇宙儀．
【考案の詳細な説明】
【技術分野】
【０００１】
本考案は、太陽系を実感できる太陽系の立体宇宙儀に関する。
詳しくは太陽系における太陽と各惑星の大きさ、太陽と各惑星の距離を目視で実感できる太陽系の立体宇宙儀に関する。
【背景技術】
【０００２】
従来、地球の公転による四季の変化、昼夜の長さの変化を説明するための宇宙儀としては、理科教材会社が販売する三球儀を用いるものとか、手で持った地球儀を机上の電球のまわりを移動させるものとかが有った。あるいは、教科書その他の図書の図によって説明するものが大多数であった。
【０００３】
上記のような従来技術には、以下のような欠点があった。
（１）三球儀を使用するものは、歯車を多数使用しており、手で地球儀を公転させると、地球儀が一定の傾きで移動する構造のものであるから簡単に作ることができず、価格も６〜７万円していた。費用対効果から１校１台程度が精々であり、グループ数を購入することは無理であった。歯車が露出しており、余りにも機械的でありデザイン的に生徒が馴染めるものではなかった。
（２）手で持った地球儀を机上の電球のまわりを移動させるものは、教師または生徒が手で持って移動させ、しかも、一定方向に地球儀の傾きを保ちながら公転させるため、作為的な感じを持たせてしまい、素直な理解につながらないという欠点を有している。また、公転を理解している教師がやらなければならず、公転による諸現象をこれから学習しようとする生徒にグループ実験させることはできなかった。
（３）教科書その他の図書の図によって説明するものは、もともと立体的空間的な現象を２次元の平面に投射したものであるから図に表わせない部分もでてくる。それでなくても立体把握に弱い生徒にはわかり難いという欠点を有していた。
【先行技術文献】
【特許文献】
【０００４】
【特許文献１】実開昭５１−６３４４３号公報
【特許文献２】実開昭５８−１８５８７６号公報
【特許文献３】実開昭５８−１８０５７１号公報
【特許文献４】特公昭４９−４０６５４号公報
【考案の概要】
【考案が解決しようとする課題】
【０００５】
我々人類は、夢と言われていた人体細胞の再生医療開発、宇宙空間において人間の人工衛星内長期滞在化に成功したが、地球の温暖化エネルギーの枯渇、世界の恒久平和等の難問題は残されている。
私は伊賀市議会議員３０年間  「開かれた議会日本一」と言われる位、色々な地方自治改革に取り組んできましが、解決できない問題が数残っていることを実感している。
それは情報化の発達により、社会は向上した半面、社会の産業が細分化されたため、管理社会、社内等で「自分の居場所」が見えず人間が狭視化、小粒化した感が有り、全体感、世界観、地球的感覚の欠如を克服するために、人の目線を宇宙の遠くに及ばせ、宇宙の彼力から地球を見ることは出来ないものかと熟慮を重ね、本考案である立体宇宙儀の開発を進めてきた。
しかし、宇宙と言っても地球の直径は約１万３千Ｋｍで、太陽は１３０万２千４百Ｋｍで地球の１０９倍有り、地球と太陽の距離は１億５千万Ｋｍ、あまりに莫大で五官により認識ができないので、宇宙の中の太陽と太陽系８個の惑星の「大きさと距離」を縮小し、その数字を基に太陽を中心に「立体的イメージ」を実感できるようにすることによって、我々地球の位置、リズム正しく浮かぶ惑星の運航の不思議さから地球の大切さ、宇宙感、地球感、全体感等への意識の向上が世界平和への一助にと未来を担う子供達への夢の一助にとの思いで本考案を完成した。
本考案者は、従来技術に鑑みて、本考案が解決しようとする課題を、以下の通り設定した。
○本考案が解決しようとする第１課題
本考案が解決しようとする第１課題は、太陽系における太陽と各惑星の大きさ、太陽と各惑星の距離を同時に目視で実感できる太陽系の立体宇宙儀を提供することである。
○本考案が解決しようとする第２課題
本考案が解決しようとする第２課題は、太陽と各惑星の大きさの縮尺、太陽と各惑星の距離の縮尺を変えても、説明に整合性を有するように説明できる太陽系の立体宇宙儀を提供することである。
○本考案が解決しようとする第３課題
本考案が解決しようとする第３課題は、太陽と各惑星、太陽と各惑星の保持具等が分解・組立て可能な太陽系の立体宇宙儀を提供することである。
【課題を解決するための手段】
【０００６】
考案者は、上記課題を解決すべく鋭意研究を行い、太陽系の立体宇宙儀が室内等に収まるためには、例えば、以下のような縮尺が考えられる。
太陽模型と海王星模型の距離（中心距離）を３ｍとすれば、太陽模型と地球模型の距離（中心距離）は、１０ｃｍとなる（模型の縮尺は１／１５，０００億）。
一方、太陽模型の直径を１０９ｃｍとすれば、地球模型の直径は、１ｃｍとなる（模型の縮尺は１／１３億）。
しかし、上記の縮尺で模型を作製すれば、地球模型が太陽模型の内部に入ってしまい実際に模型作製が不可能となる。
例え、太陽模型の直径を１０．９ｃｍとしたとしても（地球模型の直径は、０．１ｃｍとなる（模型の縮尺は１／１３０億）、なお、地球模型が太陽模型の内部に入ってしまい実際に模型作製が不可能となる。さらに、の直径が０．１ｃｍである地球模型は実感が乏しく目に訴える模型としては迫力に乏しい。
上記において、太陽と各惑星の大きさの縮尺、太陽と各惑星の距離の縮尺を自由に変えても、太陽系の立体宇宙儀が政策可能なためには、考案者は、太陽中心から各惑星中心までの距離（中心距離）を、太陽模型中心から各惑星模型中心までの距離（中心距離）を、そのまま縮尺する代わりに、太陽模型の表面から各惑星模型の表面までの距離（表面距離）に置換して模型製作を行えば、太陽と各惑星の大きさの縮尺、太陽と各惑星の距離の縮尺を変えても、説明に整合性を有するように説明できる太陽系の立体宇宙儀の着想を得て、本考案を想到するに至った。
太陽模型の表面から各惑星模型の表面までの距離は、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒の長さを予め設定しておけば、太陽系の立体宇宙儀の制作は容易に行うことが可能となることに気が付いて、本考案を想到するに至った。
例えば、太陽模型の表面と海王星模型の表面の距離（表面距離）を３ｍとすれば、太陽模型の表面と地球模型の表面の距離（表面距離）は、１０ｃｍとなる（模型の縮尺は１／１５，０００億）。一方、太陽模型の直径を１０９ｃｍとすれば、地球模型の直径は、１ｃｍとなる（模型の縮尺は１／１３億）。
上記のような着想を得て、太陽系における太陽と各惑星の大きさ、太陽と各惑星の距離を同時に目視で実感でき、太陽と各惑星の大きさの縮尺、太陽と各惑星の距離の縮尺を変えても、説明に整合性を有するように説明できる太陽系の立体宇宙儀を提供することが可能となると考えられた。
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○太陽系の宇宙とは、太陽、及び、水星、金星、地球、火星、木星、土星、天王星の惑星から構成される。
太陽、及び、水星、金星、地球、火星、木星、土星、天王星の惑星は、万有引力により、太陽系の宇宙空間に浮かんでいる。
○太陽系の立体宇宙儀とは、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒から構成される。
水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒により、水星模型、金星模型、地球模型、火星模型、木星模型、土星模型、天王星模型の惑星模型が分解・組み立て可能に太陽模型に固定されている。
○連結棒とは、惑星模型を太陽模型の表面から連結支持する連結棒である。
○惑星とは、太陽系の惑星をいい、太陽に近い順に、水星・金星・地球・火星・木星・土星・天王星・海王星の８つをいう。
海王星の外側を回る冥王星も長く惑星とされていたが、２００６年に新たに準惑星に分類された。
○惑星模型とは、太陽系の惑星を、模擬した太陽系の立体宇宙義の構成要素をいう。
○太陽と太陽系の惑星の大きさ、距離等のデータ
太陽と太陽系の惑星の大きさ、距離等のデータを［表１］  太陽と太陽系の惑星の大きさ、距離等のデータに纏めた。
【表１】
0003163671.tif 000003
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
（Ａ）  それぞれの惑星の太陽中心から惑星中心までの距離について、
水星、金星、火星、木星、土星、天王星、海王星のそれぞれの惑星の太陽中心から惑星中心までの距離ＬＬ１、ＬＬ２、ＬＬ３、ＬＬ４、ＬＬ５、ＬＬ６、ＬＬ７、ＬＬ８は、それぞれ０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３（Ｌ３＝１ＡＵ＝１４９，５９７，８７０ｋｍ）となる。
（２）  太陽の直径、太陽系の惑星の直径について、
水星、金星、火星、木星、土星、天王星、海王星の惑星、太陽のそれぞれの直径ＤＤ１、ＤＤ２、ＤＤ４、ＤＤ５、ＤＤ６、ＤＤ７、ＤＤ８は、０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３（Ｄ３＝ＤＤ３＝１２，７５６．３ｋｍ）となる。
＜記号の説明＞
○０、１，２，３，４，５，６，７，８のサフィクスは、順に、太陽模型（太陽）か、水星模型（水星）、金星模型（金星）、地球模型（地球）、火星模型（火星）、木星模型（木星）、土星模型（土星）、天王星模型（天王星）、海王星模型（太陽）を表わす。
○Ｐは、本考案に係る、太陽系の立体宇宙儀の構成要件である太陽模型、惑星模型を表わす。
○Ｌは、惑星模型の太陽模型の表面からの惑星模型の表面までの距離を表わす。
○Ｄは、惑星模型、太陽模型の直径を表わす。
○ＬＬは惑星の太陽中心からの惑星中心までの距離を表わす。
○ＤＤは、惑星、太陽の直径を表わす。
○Ｌ３、Ｄ３について
Ｌ３、Ｄ３の寸法（数値）が設定されると、本考案に係る太陽系の立体宇宙儀の寸法が決定される。
Ｌ３の数値は、例えば０１ｃｍ〜１００ｃｍ、望ましくは１ｃｍ〜３０ｃｍ、さらに望ましくは５ｃｍ〜２０ｃｍに適宜設定される。
Ｄ３の数値は、例えば０．０１ｃｍ〜１０ｃｍ、望ましくは０．１ｃｍ〜５ｃｍ、さらに望ましくは０．５ｃｍ〜２．０ｃｍに適宜設定される。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３Ｄ×３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀である。
ここに、Ｌ３：太陽模型から地球模型の表面までの距離（ｃｍ）、Ｄ３：地球模型の直径（ｃｍ）
○第２の考案（請求項２に記載の考案）
●上記の課題を解決するための第２の考案（請求項２に記載の考案）は、上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことを特徴とする請求項１に記載された太陽系の立体宇宙儀である。
○第３の考案（請求項３に記載の考案）
●上記の課題を解決するための第３の考案（請求項３に記載の考案）は、上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることを特徴とする請求項１〜２の何れかに記載された太陽系の立体宇宙儀である。
○第４の考案（請求項４に記載の考案）
●上記の課題を解決するための第４の考案（請求項４に記載の考案）は、上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．０２７２×Ｄ３とすることを特徴とする請求項１〜３の何れかに記載された太陽系の立体宇宙儀である。
【考案の効果】
【０００７】
本考案に係る、太陽系の立体宇宙儀は、上記のような特徴的構成用件から構成され、特徴的構成要件に応じた、以下のような本願考案特有の効果を奏する。
また、上記の各考案に応じた、上記のような特徴的構成要件から構成された太陽系の立体宇宙儀によれば、本願考案の課題を十分解消することができた。
○第１の考案の効果
・第１の考案によれば、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３Ｄ×３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀（こに、Ｌ３：太陽模型から地球模型の表面までの距離（ｃｍ）、Ｄ３：地球模型の直径（ｃｍ））という特徴的な構成要件により、太陽系における太陽と各惑星の大きさ、太陽と各惑星の距離を同時に目視で実感できる太陽系の立体宇宙儀を提供するという、本考案が解決しようとする第１課題を達成することができ、当業者予測不可能な顕著な効果を奏することができた。
○第２の考案の効果
・第２の考案によれば、上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことという特徴的な構成要件により、本考案が解決しようとする第１課題〜第２課題を達成することができ、当業者予測不可能な顕著な効果を奏することができた。
○第３の考案の効果
・第３の考案によれば、上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることという特徴的な構成要件により、本考案が解決しようとする第１課題〜第３課題を達成することができ、当業者予測不可能な顕著な効果を奏することができた。
○第４の考案の効果
・第４の考案によれば、上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．０２７２×Ｄ３とするという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、太陽系の立体宇宙儀に関する最良の実施形態について、図面を参照しながら説明する。
図１は、本考案に係る、太陽系の立体宇宙儀の斜視図である。
図２は、本考案に係る、太陽系の立体宇宙儀の構成を説明するための模式図である。
以下、本考案に係る、太陽系の立体宇宙儀１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の太陽系の立体宇宙儀１００において、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７の惑星模型、並びに、水星模型Ｐ１を太陽模型Ｐ０の表面から連結支持する水星模型連結棒Ｂ１、金星模型Ｐ２を太陽模型Ｐ０の表面から連結支持する金星模型連結棒Ｂ２、地球模型Ｐ３を太陽模型Ｐ０の表面から連結支持する地球模型連結棒Ｂ３、火星模型Ｐ４を太陽模型Ｐ０の表面から連結支持する火星模型連結棒Ｂ３、木星模型Ｐ５を太陽模型Ｐ０の表面から連結支持する木星模型連結棒Ｂ５、土星模型Ｐ６を太陽模型Ｐ０の表面から連結支持する土星模型連結棒Ｂ６、天王星模型Ｐ７を太陽模型Ｐ０の表面から連結支持する天王星連結棒Ｂ７、海王星模型Ｐ８を太陽模型Ｐ０の表面から連結支持する海王星連結棒Ｂ８からなる太陽系の立体宇宙儀１００において、水星模型Ｐ１、金星模型Ｐ２、火星模型Ｐ４、木星模型Ｐ５、土星模型Ｐ６、天王星模型Ｐ７、海王星模型Ｐ８のそれぞれの惑星模型の太陽模型Ｐ０表面からの惑星模型の表面までの距離Ｌ１、Ｌ２、Ｌ３、Ｌ４、Ｌ５、Ｌ６、Ｌ７、Ｌ８を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型Ｐ１、金星模型Ｐ２、火星模型Ｐ４、木星模型Ｐ５、土星模型Ｐ６、天王星模型Ｐ７、海王星模型Ｐ８の惑星模型、太陽模型Ｐ０のそれぞれ直径Ｄ１、Ｄ２、Ｄ４、Ｄ５、Ｄ６、Ｄ７、Ｄ８を０．３８３Ｄ×３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型Ｐ０が、支持台１０で支持されることを特徴とする太陽系の立体宇宙儀１００が開示されている（図１、図２）。
ここに、Ｌ３：太陽模型Ｐ０から地球模型Ｐ３表面までの距離（ｃｍ）、Ｄ３：地球模型Ｐ３の直径（ｃｍ）
上記において、Ｌ３＝１０ｃｍとして、それぞれＬ１＝３．８７ｃｍ、Ｌ２＝７．２３ｃｍ、Ｌ４＝１．５２４ｃｍ、Ｌ５＝５２．０３ｃｍ、Ｌ６＝９５．３７ｃｍ、Ｌ７＝１９１．９ｃｍ、Ｌ８＝３００．７ｃｍであり、
Ｄ３＝１ｃｍとして、それぞれＤ１＝０．３８３ｃｍ、Ｄ２＝０．９４９ｃｍ、Ｄ４＝０．５３３ｃｍ、Ｄ５＝１１．２１ｃｍ、Ｄ６＝９．４４９ｃｍ、Ｄ７＝４．００７ｃｍ、Ｄ８＝３．８８６ｃｍ、Ｄ０＝１０９．１ｃｍである（図１、図２）。
○第１の考案の効果
・第１の考案によれば、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７の惑星模型、並びに、水星模型Ｐ１を太陽模型Ｐ０の表面から連結支持する水星模型連結棒Ｂ１、金星模型Ｐ２を太陽模型Ｐ０の表面から連結支持する金星模型連結棒Ｂ２、地球模型Ｐ３を太陽模型Ｐ０の表面から連結支持する地球模型連結棒Ｂ３、火星模型Ｐ４を太陽模型Ｐ０の表面から連結支持する火星模型連結棒Ｂ４、木星模型Ｐ５を太陽模型Ｐ０の表面から連結支持する木星模型連結棒Ｂ５、土星模型Ｐ６を太陽模型Ｐ０の表面から連結支持する土星模型連結棒Ｂ６、天王星模型Ｐ７を太陽模型Ｐ０の表面から連結支持する天王星連結棒Ｂ７、海王星模型Ｐ８を太陽模型Ｐ０の表面から連結支持する海王星連結棒Ｂ８からなる太陽系の立体宇宙儀１００において、水星模型Ｐ１、金星模型Ｐ２、火星模型Ｐ４、木星模型Ｐ５、土星模型Ｐ６、天王星模型Ｐ７、海王星模型Ｐ８のそれぞれの惑星模型の太陽模型Ｐ０表面からの惑星模型の表面までの距離Ｌ１、Ｌ２、Ｌ３、Ｌ４、Ｌ５、Ｌ６、Ｌ７、Ｌ８を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型Ｐ１、金星模型Ｐ２、火星模型Ｐ４、木星模型Ｐ５、土星模型Ｐ６、天王星模型Ｐ７、海王星模型Ｐ８の惑星模型、太陽模型Ｐ０のそれぞれ直径Ｄ１、Ｄ２、Ｄ４、Ｄ５、Ｄ６、Ｄ７、Ｄ８を０．３８３Ｄ×３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型Ｐ０が、支持台１０で支持されることを特徴とする太陽系の立体宇宙儀１００（ここに、Ｌ３：太陽模型Ｐ０から地球模型Ｐ３表面までの距離（ｃｍ）、Ｄ３：地球模型Ｐ３の直径（ｃｍ））という特徴的な構成要件により、太陽系における太陽と各惑星の大きさ、太陽と各惑星の距離を同時に目視で実感できる太陽系の立体宇宙儀１００を提供するという、本考案が解決しようとする第１課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の太陽系の立体宇宙儀１００において、太陽模型Ｐ０の直径を１０９．１×Ｄ３より小さい数値とし、天王星模型Ｐ７、海王星模型Ｐ８のそれぞれの太陽模型Ｐ０表面からの惑星模型の表面までの距離を、１９．１９×Ｌ３、３０．０７×Ｌ３より小さい数値としたことを特徴とする太陽系の立体宇宙儀１００が記載されている（図１、図２）。
○第２の考案の効果
・第２の考案によれば、太陽模型Ｐ０の直径Ｄ０を１０９．１×Ｄ３より小さい数値とし、天王星模型Ｐ７、海王星模型Ｐ８のそれぞれの太陽模型Ｐ０表面からの惑星模型の表面までの距離を、１９．１９×Ｌ３、３０．０７×Ｌ３より小さい数値としたことという特徴的な構成要件により、本考案が解決しようとする第１課題〜第５課題を達成することができ、当業者予測不可能な顕著な効果を奏することができた。
上記において、具体的には、距離について、Ｌ７＝１５０ｃｍ、Ｌ８＝２００ｃｍとして、その他は、Ｌ１＝３．８７ｃｍ、Ｌ２＝７．２３ｃｍ、Ｌ３＝１０ｃｍ、Ｌ４＝１．５２４ｃｍ、Ｌ５＝５２．０３ｃｍ、Ｌ６＝９５．３７ｃｍ、である。
具体的には、直径について、Ｄ０＝５０ｃｍとして、その他は、Ｄ１＝０．３８３ｃｍ、Ｄ２＝０．９４９ｃｍ、Ｄ３＝１ｃｍ、Ｄ４＝０．５３３ｃｍ、Ｄ５＝１１．２１ｃｍ、Ｄ６＝９．４４９ｃｍ、Ｄ７＝４．００７ｃｍ、Ｄ８＝３．８８６ｃｍである（図１、図２）。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記において、水星模型Ｐ１、金星模型Ｐ２、地球模型Ｐ３、火星模型Ｐ４、木星模型Ｐ５、土星模型Ｐ６、天王星模型Ｐ７は、発泡スチロールからなり、連結棒は、真っ直ぐな線棒であり、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７に差し込んで組み立て可能であることを特徴とする請求項１〜２の何れかに記載された太陽系の立体宇宙儀１００が開示されている（図１、図２）。
発泡スチロールを用いるのは、軽量化して惑星模型を支えるのを容易にするためである。差し込んで組み立て可能とすることにより、太陽系の立体宇宙儀１００を収納・運搬容易にするためである。
連結棒は、特に表示する必要はなく、できることなら見えない位細くて直線性があることが望ましい。例えば、内部応力がかかっていないピアノ線を用いてもよい。
○第３の考案の効果
・第３の考案によれば、上記において、水星模型Ｐ１、金星模型Ｐ２、地球模型Ｐ３、火星模型Ｐ４、木星模型Ｐ５、土星模型Ｐ６、天王星模型Ｐ７は、発泡スチロールからなり、連結棒は、真っ直ぐな線棒であり、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７に差し込んで組み立て可能であることという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記において、上記の構成に加えて、衛星模型である月模型Ｐ１１、並びに月模型Ｐ１１を地球模型Ｐ３の表面から連結支持する月模型連結棒Ｂ１１からなる太陽陽系の立体宇宙儀１００において、月模型Ｐ１１の地球模型Ｐ１１の表面から地球模型Ｐ３の表面までの距離Ｌ１１を０．０２５７×Ｌ３とし、月模型Ｐ１１の直径Ｄ１１を０．０２７２×Ｄ３とすることを特徴とする請求項１〜３の何れかに記載された太陽系の立体宇宙儀１００が開示されている（図１、図２）。
上記において、具体的には、距離について、Ｌ１１＝０．２５７ｃｍ、として、その他は、上記で用いたそのままの数値である。
具体的には、直径について、Ｄ１１＝０．２７２ｃｍとして、その他は、上記で用いたそのままの数値である。（図１、図２）。
○第４の考案の効果
・第４の考案によれば、上記の構成に加えて、衛星模型である月模型Ｐ１１、並びに月模型Ｐ１１を地球模型Ｐ３の表面から連結支持する月模型連結棒Ｂ１１からなる太陽陽系の立体宇宙儀１００において、月模型Ｐ１１の表面から地球模型Ｐ３の表面までの距離Ｌ１１を０．０２５７×Ｌ３とし、月模型Ｐ１１の直径Ｄ１１を０．０２７２×Ｄ３とするという特徴的な構成要件により、本考案が解決しようとする第１課題〜第３課題を達成することができ、さらにコンパクトな太陽系の立体宇宙儀１００を提供することができ、当業者予測不可能な顕著な効果を奏することができた。
【図面の簡単な説明】
【０００９】
【図１】図１は、本考案に係る、太陽系の立体宇宙儀の斜視図である。
【図２】図２は、本考案に係る、太陽系の立体宇宙儀の構成を説明するための模式図である。
【符号の説明】
【００１０】
１００……太陽系の立体宇宙儀
１０……支持台１０
Ｐ０……太陽模型
Ｐ１……水星模型
Ｐ２……金星模型
Ｐ３……地球模型
Ｐ４……火星模型
Ｐ５……木星模型
Ｐ６……土星模型
Ｐ７……天王星模型Ｐ７
Ｐ８……海王星模型Ｐ８
Ｐ１１……月模型Ｐ１１
Ｂ１……水星模型Ｐ１を太陽模型Ｐ０の表面から連結支持する水星模型Ｐ１連結棒
Ｂ２……金星模型Ｐ２を太陽模型Ｐ０の表面から連結支持する金星模型Ｐ２連結棒
Ｂ３……地球模型Ｐ３を太陽模型Ｐ０の表面から連結支持する地球模型Ｐ３連結棒
Ｂ４……火星模型Ｐ４を太陽模型Ｐ０の表面から連結支持する火星模型Ｐ４連結棒
Ｂ５……木星模型Ｐ５を太陽模型Ｐ０の表面から連結支持する木星模型Ｐ５連結棒
Ｂ６……土星模型Ｐ６を太陽模型Ｐ０の表面から連結支持する土星模型Ｐ６連結棒
Ｂ７……天王星模型Ｐ７を太陽模型Ｐ０の表面から連結支持する天王星連結棒
Ｂ８……海王星模型Ｐ８を太陽模型Ｐ０の表面から連結支持する海王星連結棒
Ｂ１１……月模型Ｐ１１を地球模型Ｐ３の表面から連結支持する海王星連結棒
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
１００……太陽系の立体宇宙儀
１０……支持台
Ｌ１……水星模型Ｐ１表面から太陽模型Ｐ０表面までの距離
Ｌ２……金星模型Ｐ２表面から太陽模型Ｐ０表面までの距離
Ｌ３……地球模型Ｐ３表面から太陽模型Ｐ０表面までの距離
Ｌ４……火星模型Ｐ４表面から太陽模型Ｐ０表面までの距離
Ｌ５……木星模型Ｐ５表面から太陽模型Ｐ０表面までの距離
Ｌ６……土星模型Ｐ６表面から太陽模型Ｐ０表面までの距離
Ｌ７……天王星模型Ｐ７表面から太陽模型Ｐ０表面までの距離
Ｌ８……海王星模型Ｐ８表面から太陽模型Ｐ０表面までの距離
Ｌ１１……月模型Ｐ１１表面から地球模型Ｐ３表面までの距離
Ｄ１……水星模型Ｐ１の直径
Ｄ２……金星模型Ｐ２の直径
Ｄ３……地球模型Ｐ３の直径
Ｄ４……火星模型Ｐ４の直径
Ｄ５……木星模型Ｐ５の直径
Ｄ６……土星模型Ｐ６の直径
Ｄ７……天王星模型Ｐ７の直径
Ｄ８……海王星模型Ｐ８の直径
Ｄ１１……月模型Ｐ１１の直径
【図１】
0003163671.tif 000004
【図２】
0003163671.tif 000005
【手続補正書】
【提出日】平成22年8月24日(2010.8.24)
【手続補正１】
【補正対象書類名】実用新案登録請求の範囲
【補正対象項目名】全文
【補正方法】変更
【補正の内容】
【実用新案登録請求の範囲】
【請求項１】
太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀。
ここに、Ｌ３：太陽模型の表面から地球模型の表面までの距離（ｃｍ）、Ｄ３：地球模型の直径（ｃｍ）
【請求項２】
上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことを特徴とする請求項１に記載された太陽系の立体宇宙儀。
【請求項３】
上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることを特徴とする請求項１〜２の何れかに記載された太陽系の立体宇宙儀。
【請求項４】
上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．２７２×Ｄ３とすることを特徴とする請求項１〜３の何れかに記載された太陽系の立体宇宙儀。
【手続補正２】
【補正対象書類名】明細書
【補正対象項目名】全文
【補正方法】変更
【補正の内容】
【考案の詳細な説明】
【技術分野】
【０００１】
本考案は、太陽系を実感できる太陽系の立体宇宙儀に関する。
詳しくは太陽系における太陽と各惑星の大きさ、太陽と各惑星の距離を目視で実感できる太陽系の立体宇宙儀に関する。
【背景技術】
【０００２】
従来、地球の公転による四季の変化、昼夜の長さの変化を説明するための宇宙儀としては、理科教材会社が販売する三球儀を用いるものとか、手で持った地球儀を机上の電球のまわりを移動させるものとかが有った。あるいは、教科書その他の図書の図によって説明するものが大多数であった。
【０００３】
上記のような従来技術には、以下のような欠点があった。
（１）三球儀を使用するものは、歯車を多数使用しており、手で地球儀を公転させると、地球儀が一定の傾きで移動する構造のものであるから簡単に作ることができず、価格も６〜７万円していた。費用対効果から１校１台程度が精々であり、グループ数を購入することは無理であった。歯車が露出しており、余りにも機械的でありデザイン的に生徒が馴染めるものではなかった。
（２）手で持った地球儀を机上の電球のまわりを移動させるものは、教師または生徒が手で持って移動させ、しかも、一定方向に地球儀の傾きを保ちながら公転させるため、作為的な感じを持たせてしまい、素直な理解につながらないという欠点を有している。また、公転を理解している教師がやらなければならず、公転による諸現象をこれから学習しようとする生徒にグループ実験させることはできなかった。
（３）教科書その他の図書の図によって説明するものは、もともと立体的空間的な現象を２次元の平面に投射したものであるから図に表わせない部分もでてくる。それでなくても立体把握に弱い生徒にはわかり難いという欠点を有していた。
【先行技術文献】
【特許文献】
【０００４】
【特許文献１】実開昭５１−６３４４３号公報
【特許文献２】実開昭５８−１８５８７６号公報
【特許文献３】実開昭５８−１８０５７１号公報
【特許文献４】特公昭４９−４０６５４号公報
【考案の概要】
【考案が解決しようとする課題】
【０００５】
我々人類は、夢と言われていた人体細胞の再生医療開発、宇宙空間において人間の人工衛星内長期滞在化に成功したが、地球の温暖化エネルギーの枯渇、世界の恒久平和等の難問題は残されている。
私は伊賀市議会議員３０年間  「開かれた議会日本一」と言われる位、色々な地方自治改革に取り組んできましが、解決できない問題が数残っていることを実感している。
それは情報化の発達により、社会は向上した半面、社会の産業が細分化されたため、管理社会、社内等で「自分の居場所」が見えず人間が狭視化、小粒化した感が有り、全体感、世界観、地球的感覚の欠如を克服するために、人の目線を宇宙の遠くに及ばせ、宇宙の彼力から地球を見ることは出来ないものかと熟慮を重ね、本考案である立体宇宙儀の開発を進めてきた。
しかし、宇宙と言っても地球の直径は約１万３千Ｋｍで、太陽は１３０万２千４百Ｋｍで地球の１０９倍有り、地球と太陽の距離は１億５千万Ｋｍ、あまりに莫大で五官により認識ができないので、宇宙の中の太陽と太陽系８個の惑星の「大きさと距離」を縮小し、その数字を基に太陽を中心に「立体的イメージ」を実感できるようにすることによって、我々地球の位置、リズム正しく浮かぶ惑星の運航の不思議さから地球の大切さ、宇宙感、地球感、全体感等への意識の向上が世界平和への一助にと未来を担う子供達への夢の一助にとの思いで本考案を完成した。
本考案者は、従来技術に鑑みて、本考案が解決しようとする課題を、以下の通り設定した。
○本考案が解決しようとする第１課題
本考案が解決しようとする第１課題は、太陽系における太陽と各惑星の大きさ、太陽と各惑星の距離を同時に目視で実感できる太陽系の立体宇宙儀を提供することである。
○本考案が解決しようとする第２課題
本考案が解決しようとする第２課題は、太陽と各惑星の大きさの縮尺、太陽と各惑星の距離の縮尺を変えても、説明に整合性を有するように説明できる太陽系の立体宇宙儀を提供することである。
○本考案が解決しようとする第３課題
本考案が解決しようとする第３課題は、太陽と各惑星、太陽と各惑星の保持具等が分解・組立て可能な太陽系の立体宇宙儀を提供することである。
【課題を解決するための手段】
【０００６】
考案者は、上記課題を解決すべく鋭意研究を行い、太陽系の立体宇宙儀が室内等に収まるためには、例えば、以下のような縮尺が考えられる。
太陽模型と海王星模型の距離（中心距離）を３ｍとすれば、太陽模型と地球模型の距離（中心距離）は、１０ｃｍとなる（模型の縮尺は１／１５，０００億）。
一方、太陽模型の直径を１０９ｃｍとすれば、地球模型の直径は、１ｃｍとなる（模型の縮尺は１／１３億）。
しかし、上記の縮尺で模型を作製すれば、地球模型が太陽模型の内部に入ってしまい実際に模型作製が不可能となる。
例え、太陽模型の直径を１０．９ｃｍとしたとしても（地球模型の直径は、０．１ｃｍとなる（模型の縮尺は１／１３０億）、なお、地球模型が太陽模型の内部に入ってしまい実際に模型作製が不可能となる。さらに、の直径が０．１ｃｍである地球模型は実感が乏しく目に訴える模型としては迫力に乏しい。
上記において、太陽と各惑星の大きさの縮尺、太陽と各惑星の距離の縮尺を自由に変えても、太陽系の立体宇宙儀が政策可能なためには、考案者は、太陽中心から各惑星中心までの距離（中心距離）を、太陽模型中心から各惑星模型中心までの距離（中心距離）を、そのまま縮尺する代わりに、太陽模型の表面から各惑星模型の表面までの距離（表面距離）に置換して模型製作を行えば、太陽と各惑星の大きさの縮尺、太陽と各惑星の距離の縮尺を変えても、説明に整合性を有するように説明できる太陽系の立体宇宙儀の着想を得て、本考案を想到するに至った。
太陽模型の表面から各惑星模型の表面までの距離は、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒の長さを予め設定しておけば、太陽系の立体宇宙儀の制作は容易に行うことが可能となることに気が付いて、本考案を想到するに至った。
例えば、太陽模型の表面と海王星模型の表面の距離（表面距離）を３ｍとすれば、太陽模型の表面と地球模型の表面の距離（表面距離）は、１０ｃｍとなる（模型の縮尺は１／１５，０００億）。一方、太陽模型の直径を１０９ｃｍとすれば、地球模型の直径は、１ｃｍとなる（模型の縮尺は１／１３億）。
上記のような着想を得て、太陽系における太陽と各惑星の大きさ、太陽と各惑星の距離を同時に目視で実感でき、太陽と各惑星の大きさの縮尺、太陽と各惑星の距離の縮尺を変えても、説明に整合性を有するように説明できる太陽系の立体宇宙儀を提供することが可能となると考えられた。
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○太陽系の宇宙とは、太陽、及び、水星、金星、地球、火星、木星、土星、天王星の惑星から構成される。
太陽、及び、水星、金星、地球、火星、木星、土星、天王星の惑星は、万有引力により、太陽系の宇宙空間に浮かんでいる。
○太陽系の立体宇宙儀とは、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒から構成される。
水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒により、水星模型、金星模型、地球模型、火星模型、木星模型、土星模型、天王星模型の惑星模型が分解・組み立て可能に太陽模型に固定されている。
○連結棒とは、惑星模型を太陽模型の表面から連結支持する連結棒である。
○惑星とは、太陽系の惑星をいい、太陽に近い順に、水星・金星・地球・火星・木星・土星・天王星・海王星の８つをいう。
海王星の外側を回る冥王星も長く惑星とされていたが、２００６年に新たに準惑星に分類された。
○惑星模型とは、太陽系の惑星を、模擬した太陽系の立体宇宙義の構成要素をいう。
○太陽と太陽系の惑星の大きさ、距離等のデータ
太陽と太陽系の惑星の大きさ、距離等のデータを［表１］  太陽と太陽系の惑星の大きさ、距離等のデータに纏めた。
【表１】
0003163671.tif 000006
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
（Ａ）  それぞれの惑星の太陽中心から惑星中心までの距離について、
水星、金星、火星、木星、土星、天王星、海王星のそれぞれの惑星の太陽中心から惑星中心までの距離ＬＬ１、ＬＬ２、ＬＬ３、ＬＬ４、ＬＬ５、ＬＬ６、ＬＬ７、ＬＬ８は、それぞれ０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３（Ｌ３＝１ＡＵ＝１４９，５９７，８７０ｋｍ）となる。
（２）  太陽の直径、太陽系の惑星の直径について、
水星、金星、火星、木星、土星、天王星、海王星の惑星、太陽のそれぞれの直径ＤＤ１、ＤＤ２、ＤＤ４、ＤＤ５、ＤＤ６、ＤＤ７、ＤＤ８は、０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３（Ｄ３＝ＤＤ３＝１２，７５６．３ｋｍ）となる。
＜記号の説明＞
○０、１，２，３，４，５，６，７，８のサフィクスは、順に、太陽模型（太陽）か、水星模型（水星）、金星模型（金星）、地球模型（地球）、火星模型（火星）、木星模型（木星）、土星模型（土星）、天王星模型（天王星）、海王星模型（太陽）を表わす。
○Ｐは、本考案に係る、太陽系の立体宇宙儀の構成要件である太陽模型、惑星模型を表わす。
○Ｌは、惑星模型の太陽模型の表面からの惑星模型の表面までの距離を表わす。
○Ｄは、惑星模型、太陽模型の直径を表わす。
○ＬＬは惑星の太陽中心からの惑星中心までの距離を表わす。
○ＤＤは、惑星、太陽の直径を表わす。
○Ｌ３、Ｄ３について
Ｌ３、Ｄ３の寸法（数値）が設定されると、本考案に係る太陽系の立体宇宙儀の寸法が決定される。
Ｌ３の数値は、例えば０１ｃｍ〜１００ｃｍ、望ましくは１ｃｍ〜３０ｃｍ、さらに望ましくは５ｃｍ〜２０ｃｍに適宜設定される。
Ｄ３の数値は、例えば０．０１ｃｍ〜１０ｃｍ、望ましくは０．１ｃｍ〜５ｃｍ、さらに望ましくは０．５ｃｍ〜２．０ｃｍに適宜設定される。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀である。
ここに、Ｌ３：太陽模型の表面から地球模型の表面までの距離（ｃｍ）、Ｄ３：地球模型の直径（ｃｍ）
○第２の考案（請求項２に記載の考案）
●上記の課題を解決するための第２の考案（請求項２に記載の考案）は、上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことを特徴とする請求項１に記載された太陽系の立体宇宙儀である。
○第３の考案（請求項３に記載の考案）
●上記の課題を解決するための第３の考案（請求項３に記載の考案）は、上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることを特徴とする請求項１〜２の何れかに記載された太陽系の立体宇宙儀である。
○第４の考案（請求項４に記載の考案）
●上記の課題を解決するための第４の考案（請求項４に記載の考案）は、上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．０２７２×Ｄ３とすることを特徴とする請求項１〜３の何れかに記載された太陽系の立体宇宙儀である。
【考案の効果】
【０００７】
本考案に係る、太陽系の立体宇宙儀は、上記のような特徴的構成用件から構成され、特徴的構成要件に応じた、以下のような本願考案特有の効果を奏する。
また、上記の各考案に応じた、上記のような特徴的構成要件から構成された太陽系の立体宇宙儀によれば、本願考案の課題を十分解消することができた。
○第１の考案の効果
・第１の考案によれば、太陽模型、及び、水星模型、金星模型、地球模型、火星模型、木星模型、土星模型、天王星模型の惑星模型、並びに、水星模型を太陽模型の表面から連結支持する水星模型連結棒、金星模型を太陽模型の表面から連結支持する金星模型連結棒、地球模型を太陽模型の表面から連結支持する地球模型連結棒、火星模型を太陽模型の表面から連結支持する火星模型連結棒、木星模型を太陽模型の表面から連結支持する木星模型連結棒、土星模型を太陽模型の表面から連結支持する土星模型連結棒、天王星模型を太陽模型の表面から連結支持する天王星連結棒、海王星模型を太陽模型の表面から連結支持する海王星連結棒からなる太陽系の立体宇宙儀において、水星模型、金星模型、火星模型、木星模型、土星模型、天王星模型、海王星模型のそれぞれの惑星模型の太陽模型の表面からの惑星模型の表面までの距離を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型、金星模型、火星模型、木星模型、土星模型、天王星模型、海王星模型の惑星模型、太陽模型のそれぞれ直径を０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型が、支持台で支持されることを特徴とする太陽系の立体宇宙儀（こに、Ｌ３：太陽模型の表面から地球模型の表面までの距離（ｃｍ）、Ｄ３：地球模型の直径（ｃｍ））という特徴的な構成要件により、太陽系における太陽と各惑星の大きさ、太陽と各惑星の距離を同時に目視で実感できる太陽系の立体宇宙儀を提供するという、本考案が解決しようとする第１課題を達成することができ、当業者予測不可能な顕著な効果を奏することができた。
○第２の考案の効果
・第２の考案によれば、上記において、太陽模型の直径を１０９．１×Ｄ３より小さい数値とし、天王星模型、海王星模型のそれぞれの太陽模型の表面からの惑星模型の表面までの距離を、１９．１９×Ｌ３、３０．０７×Ｌ３より小さい数値としたことという特徴的な構成要件により、本考案が解決しようとする第１課題〜第２課題を達成することができ、当業者予測不可能な顕著な効果を奏することができた。
○第３の考案の効果
・第３の考案によれば、上記において、水星模型、金星模型、地球模型、火星模型、木星模型、土星模型、天王星模型は、発泡スチロールからなり、連結棒は、真っ直ぐな線棒であり、太陽模型、及び、水星模型、金星模型、地球模型、火星模型、木星模型、土星模型、天王星模型に差し込んで組み立て可能であることという特徴的な構成要件により、本考案が解決しようとする第１課題〜第３課題を達成することができ、当業者予測不可能な顕著な効果を奏することができた。
○第４の考案の効果
・第４の考案によれば、上記の構成に加えて、衛星模型である月模型、並びに月模型を地球模型の表面から連結支持する月模型連結棒からなる太陽陽系の立体宇宙儀において、月模型の地球模型の表面から惑星模型の表面までの距離を０．０２５７×Ｌ３とし、月模型の直径を０．０２７２×Ｄ３とするという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、太陽系の立体宇宙儀に関する最良の実施形態について、図面を参照しながら説明する。
図１は、本考案に係る、太陽系の立体宇宙儀の斜視図である。
図２は、本考案に係る、太陽系の立体宇宙儀の構成を説明するための模式図である。
以下、本考案に係る、太陽系の立体宇宙儀１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の太陽系の立体宇宙儀１００において、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７の惑星模型、並びに、水星模型Ｐ１を太陽模型Ｐ０の表面から連結支持する水星模型連結棒Ｂ１、金星模型Ｐ２を太陽模型Ｐ０の表面から連結支持する金星模型連結棒Ｂ２、地球模型Ｐ３を太陽模型Ｐ０の表面から連結支持する地球模型連結棒Ｂ３、火星模型Ｐ４を太陽模型Ｐ０の表面から連結支持する火星模型連結棒Ｂ３、木星模型Ｐ５を太陽模型Ｐ０の表面から連結支持する木星模型連結棒Ｂ５、土星模型Ｐ６を太陽模型Ｐ０の表面から連結支持する土星模型連結棒Ｂ６、天王星模型Ｐ７を太陽模型Ｐ０の表面から連結支持する天王星連結棒Ｂ７、海王星模型Ｐ８を太陽模型Ｐ０の表面から連結支持する海王星連結棒Ｂ８からなる太陽系の立体宇宙儀１００において、水星模型Ｐ１、金星模型Ｐ２、火星模型Ｐ４、木星模型Ｐ５、土星模型Ｐ６、天王星模型Ｐ７、海王星模型Ｐ８のそれぞれの惑星模型の太陽模型Ｐ０表面からの惑星模型の表面までの距離Ｌ１、Ｌ２、Ｌ３、Ｌ４、Ｌ５、Ｌ６、Ｌ７、Ｌ８を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型Ｐ１、金星模型Ｐ２、火星模型Ｐ４、木星模型Ｐ５、土星模型Ｐ６、天王星模型Ｐ７、海王星模型Ｐ８の惑星模型、太陽模型Ｐ０のそれぞれ直径Ｄ１、Ｄ２、Ｄ４、Ｄ５、Ｄ６、Ｄ７、Ｄ８を０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型Ｐ０が、支持台１０で支持されることを特徴とする太陽系の立体宇宙儀１００が開示されている（図１、図２）。
ここに、Ｌ３：太陽模型Ｐ０から地球模型Ｐ３表面までの距離（ｃｍ）、Ｄ３：地球模型Ｐ３の直径（ｃｍ）
上記において、Ｌ３＝１０ｃｍとして、それぞれＬ１＝３．８７ｃｍ、Ｌ２＝７．２３ｃｍ、Ｌ４＝１．５２４ｃｍ、Ｌ５＝５２．０３ｃｍ、Ｌ６＝９５．３７ｃｍ、Ｌ７＝１９１．９ｃｍ、Ｌ８＝３００．７ｃｍであり、
Ｄ３＝１ｃｍとして、それぞれＤ１＝０．３８３ｃｍ、Ｄ２＝０．９４９ｃｍ、Ｄ４＝０．５３３ｃｍ、Ｄ５＝１１．２１ｃｍ、Ｄ６＝９．４４９ｃｍ、Ｄ７＝４．００７ｃｍ、Ｄ８＝３．８８６ｃｍ、Ｄ０＝１０９．１ｃｍである（図１、図２）。
○第１の考案の効果
・第１の考案によれば、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７の惑星模型、並びに、水星模型Ｐ１を太陽模型Ｐ０の表面から連結支持する水星模型連結棒Ｂ１、金星模型Ｐ２を太陽模型Ｐ０の表面から連結支持する金星模型連結棒Ｂ２、地球模型Ｐ３を太陽模型Ｐ０の表面から連結支持する地球模型連結棒Ｂ３、火星模型Ｐ４を太陽模型Ｐ０の表面から連結支持する火星模型連結棒Ｂ４、木星模型Ｐ５を太陽模型Ｐ０の表面から連結支持する木星模型連結棒Ｂ５、土星模型Ｐ６を太陽模型Ｐ０の表面から連結支持する土星模型連結棒Ｂ６、天王星模型Ｐ７を太陽模型Ｐ０の表面から連結支持する天王星連結棒Ｂ７、海王星模型Ｐ８を太陽模型Ｐ０の表面から連結支持する海王星連結棒Ｂ８からなる太陽系の立体宇宙儀１００において、水星模型Ｐ１、金星模型Ｐ２、火星模型Ｐ４、木星模型Ｐ５、土星模型Ｐ６、天王星模型Ｐ７、海王星模型Ｐ８のそれぞれの惑星模型の太陽模型Ｐ０表面からの惑星模型の表面までの距離Ｌ１、Ｌ２、Ｌ３、Ｌ４、Ｌ５、Ｌ６、Ｌ７、Ｌ８を０．３８７×Ｌ３、０．７２３×Ｌ３、１．５２４×Ｌ３、５．２０３×Ｌ３、９．５３７×Ｌ３、１９．１９×Ｌ３、３０．０７×Ｌ３とし、
水星模型Ｐ１、金星模型Ｐ２、火星模型Ｐ４、木星模型Ｐ５、土星模型Ｐ６、天王星模型Ｐ７、海王星模型Ｐ８の惑星模型、太陽模型Ｐ０のそれぞれ直径Ｄ１、Ｄ２、Ｄ４、Ｄ５、Ｄ６、Ｄ７、Ｄ８を０．３８３×Ｄ３、０．９４９×Ｄ３、０．５３３×Ｄ３、１１．２１×Ｄ３、９．４４９×Ｄ３、４．００７×Ｄ３、３．８８６×Ｄ３、１０９．１×Ｄ３とすると共に、太陽模型Ｐ０が、支持台１０で支持されることを特徴とする太陽系の立体宇宙儀１００（ここに、Ｌ３：太陽模型Ｐ０から地球模型Ｐ３表面までの距離（ｃｍ）、Ｄ３：地球模型Ｐ３の直径（ｃｍ））という特徴的な構成要件により、太陽系における太陽と各惑星の大きさ、太陽と各惑星の距離を同時に目視で実感できる太陽系の立体宇宙儀１００を提供するという、本考案が解決しようとする第１課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の太陽系の立体宇宙儀１００において、太陽模型Ｐ０の直径を１０９．１×Ｄ３より小さい数値とし、天王星模型Ｐ７、海王星模型Ｐ８のそれぞれの太陽模型Ｐ０表面からの惑星模型の表面までの距離を、１９．１９×Ｌ３、３０．０７×Ｌ３より小さい数値としたことを特徴とする太陽系の立体宇宙儀１００が記載されている（図１、図２）。
○第２の考案の効果
・第２の考案によれば、太陽模型Ｐ０の直径Ｄ０を１０９．１×Ｄ３より小さい数値とし、天王星模型Ｐ７、海王星模型Ｐ８のそれぞれの太陽模型Ｐ０表面からの惑星模型の表面までの距離を、１９．１９×Ｌ３、３０．０７×Ｌ３より小さい数値としたことという特徴的な構成要件により、本考案が解決しようとする第１課題〜第５課題を達成することができ、当業者予測不可能な顕著な効果を奏することができた。
上記において、具体的には、距離について、Ｌ７＝１５０ｃｍ、Ｌ８＝２００ｃｍとして、その他は、Ｌ１＝３．８７ｃｍ、Ｌ２＝７．２３ｃｍ、Ｌ３＝１０ｃｍ、Ｌ４＝１．５２４ｃｍ、Ｌ５＝５２．０３ｃｍ、Ｌ６＝９５．３７ｃｍ、である。
具体的には、直径について、Ｄ０＝５０ｃｍとして、その他は、Ｄ１＝０．３８３ｃｍ、Ｄ２＝０．９４９ｃｍ、Ｄ３＝１ｃｍ、Ｄ４＝０．５３３ｃｍ、Ｄ５＝１１．２１ｃｍ、Ｄ６＝９．４４９ｃｍ、Ｄ７＝４．００７ｃｍ、Ｄ８＝３．８８６ｃｍである（図１、図２）。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記において、水星模型Ｐ１、金星模型Ｐ２、地球模型Ｐ３、火星模型Ｐ４、木星模型Ｐ５、土星模型Ｐ６、天王星模型Ｐ７は、発泡スチロールからなり、連結棒は、真っ直ぐな線棒であり、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７に差し込んで組み立て可能であることを特徴とする請求項１〜２の何れかに記載された太陽系の立体宇宙儀１００が開示されている（図１、図２）。
発泡スチロールを用いるのは、軽量化して惑星模型を支えるのを容易にするためである。差し込んで組み立て可能とすることにより、太陽系の立体宇宙儀１００を収納・運搬容易にするためである。
連結棒は、特に表示する必要はなく、できることなら見えない位細くて直線性があることが望ましい。例えば、内部応力がかかっていないピアノ線を用いてもよい。
○第３の考案の効果
・第３の考案によれば、上記において、水星模型Ｐ１、金星模型Ｐ２、地球模型Ｐ３、火星模型Ｐ４、木星模型Ｐ５、土星模型Ｐ６、天王星模型Ｐ７は、発泡スチロールからなり、連結棒は、真っ直ぐな線棒であり、太陽模型Ｐ０、及び、水星模型Ｐ１、金星模型Ｐ２、地球模型Ｐ３、火星模型Ｐ４、木星模型Ｐ５、土星模型Ｐ６、天王星模型Ｐ７に差し込んで組み立て可能であることという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記において、上記の構成に加えて、衛星模型である月模型Ｐ１１、並びに月模型Ｐ１１を地球模型Ｐ３の表面から連結支持する月模型連結棒Ｂ１１からなる太陽陽系の立体宇宙儀１００において、月模型Ｐ１１の地球模型Ｐ１１の表面から地球模型Ｐ３の表面までの距離Ｌ１１を０．０２５７×Ｌ３とし、月模型Ｐ１１の直径Ｄ１１を０．０２７２×Ｄ３とすることを特徴とする請求項１〜３の何れかに記載された太陽系の立体宇宙儀１００が開示されている（図１、図２）。
上記において、具体的には、距離について、Ｌ１１＝０．２５７ｃｍ、として、その他は、上記で用いたそのままの数値である。
具体的には、直径について、Ｄ１１＝０．２７２ｃｍとして、その他は、上記で用いたそのままの数値である。（図１、図２）。
○第４の考案の効果
・第４の考案によれば、上記の構成に加えて、衛星模型である月模型Ｐ１１、並びに月模型Ｐ１１を地球模型Ｐ３の表面から連結支持する月模型連結棒Ｂ１１からなる太陽陽系の立体宇宙儀１００において、月模型Ｐ１１の表面から地球模型Ｐ３の表面までの距離Ｌ１１を０．０２５７×Ｌ３とし、月模型Ｐ１１の直径Ｄ１１を０．０２７２×Ｄ３とするという特徴的な構成要件により、本考案が解決しようとする第１課題〜第３課題を達成することができ、さらにコンパクトな太陽系の立体宇宙儀１００を提供することができ、当業者予測不可能な顕著な効果を奏することができた。
【図面の簡単な説明】
【０００９】
【図１】図１は、本考案に係る、太陽系の立体宇宙儀の斜視図である。
【図２】図２は、本考案に係る、太陽系の立体宇宙儀の構成を説明するための模式図である。
【符号の説明】
【００１０】
１００……太陽系の立体宇宙儀
１０……支持台１０
Ｐ０……太陽模型
Ｐ１……水星模型
Ｐ２……金星模型
Ｐ３……地球模型
Ｐ４……火星模型
Ｐ５……木星模型
Ｐ６……土星模型
Ｐ７……天王星模型Ｐ７
Ｐ８……海王星模型Ｐ８
Ｐ１１……月模型Ｐ１１
Ｂ１……水星模型Ｐ１を太陽模型Ｐ０の表面から連結支持する水星模型Ｐ１連結棒
Ｂ２……金星模型Ｐ２を太陽模型Ｐ０の表面から連結支持する金星模型Ｐ２連結棒
Ｂ３……地球模型Ｐ３を太陽模型Ｐ０の表面から連結支持する地球模型Ｐ３連結棒
Ｂ４……火星模型Ｐ４を太陽模型Ｐ０の表面から連結支持する火星模型Ｐ４連結棒
Ｂ５……木星模型Ｐ５を太陽模型Ｐ０の表面から連結支持する木星模型Ｐ５連結棒
Ｂ６……土星模型Ｐ６を太陽模型Ｐ０の表面から連結支持する土星模型Ｐ６連結棒
Ｂ７……天王星模型Ｐ７を太陽模型Ｐ０の表面から連結支持する天王星連結棒
Ｂ８……海王星模型Ｐ８を太陽模型Ｐ０の表面から連結支持する海王星連結棒
Ｂ１１……月模型Ｐ１１を地球模型Ｐ３の表面から連結支持する海王星連結棒
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
１００……太陽系の立体宇宙儀
１０……支持台
Ｌ１……水星模型Ｐ１表面から太陽模型Ｐ０表面までの距離
Ｌ２……金星模型Ｐ２表面から太陽模型Ｐ０表面までの距離
Ｌ３……地球模型Ｐ３表面から太陽模型Ｐ０表面までの距離
Ｌ４……火星模型Ｐ４表面から太陽模型Ｐ０表面までの距離
Ｌ５……木星模型Ｐ５表面から太陽模型Ｐ０表面までの距離
Ｌ６……土星模型Ｐ６表面から太陽模型Ｐ０表面までの距離
Ｌ７……天王星模型Ｐ７表面から太陽模型Ｐ０表面までの距離
Ｌ８……海王星模型Ｐ８表面から太陽模型Ｐ０表面までの距離
Ｌ１１……月模型Ｐ１１表面から地球模型Ｐ３表面までの距離
Ｄ１……水星模型Ｐ１の直径
Ｄ２……金星模型Ｐ２の直径
Ｄ３……地球模型Ｐ３の直径
Ｄ４……火星模型Ｐ４の直径
Ｄ５……木星模型Ｐ５の直径
Ｄ６……土星模型Ｐ６の直径
Ｄ７……天王星模型Ｐ７の直径
Ｄ８……海王星模型Ｐ８の直径
Ｄ１１……月模型Ｐ１１の直径